(57)【要約】【課題】容易に二つの筐体を分離し、結合することができ、当該二つの筐体の安定した結合状態を実現し、かつ、良好な外観意匠を提供することができる電子機器を提供する。【解決手段】携帯電話１は、第１の筐体３０は、磁力による吸引作用を享受することができる第１の部材４０及び第２の部材４１を内部に有する。第２の部材４１は、第１の部材４０よりも第１の筐体３０の中心側に位置するように、第１の部材４０に対して第１の筐体３０を第２の筐体５０から分離する方向にずらして配置されている。第２の筐体５０は、第１の部材４０に磁着作用によって吸引される第３の部材６１を内部に有する。また、第２の部材４１に磁着作用によって吸引されるとともに、第２の筐体５０内から第２の部材４１に向かって移動可能に設けられた第４の部材６２を有する。【選択図】図５
2010074463.tif 000002
【特許請求の範囲】
【請求項１】
第１の筐体と、
該第１の筐体と互いに磁力による吸引作用によって結合可能な第２の筐体とを有し、
前記第１の筐体は、ともに磁力による吸引作用を享受することができる第１の部材及び第２の部材を内部に有し、
前記第２の部材は、前記第１の部材よりも前記第１の筐体の中心側に位置するように、前記第１の部材に対して前記第１の筐体を前記第２の筐体から分離する方向にずらして配置され、
前記第２の筐体は、前記第１の部材に磁力による吸引作用によって吸引される第３の部材を内部に有するとともに、前記第２の部材に磁力による吸引作用によって吸引されるとともに、前記第２の筐体内から前記第２の部材に向かって移動可能に設けられた第４の部材を有することを特徴とした電子機器。
【請求項２】
前記第１の部材と前記第２の部材との配置上のずれ分は、前記第２の部材に吸引される際の前記第４の部材の移動量に関連付けられていることを特徴とする請求項１記載の電子機器。
【請求項３】
前記第２の筐体は、前記第４の部材を前記第２の筐体の中心側へ移動させる方向に付勢する弾性体をさらに有することを特徴とした請求項１又は２記載の電子機器。
【請求項４】
前記第４の部材は、前記第１の筐体と前記第二の筐体とを分離したときに前記第２の筐体内に収容されることを特徴とした請求項１乃至３のいずれか一項記載の電子機器。
【請求項５】
前記第１の筐体内に前記第４の部材が挿入される空間が形成され、
当該空間の奥側に前記第２の部材が位置していることを特徴とした請求項１乃至４のいずれか一項記載の電子機器。
【請求項６】
前記第４の部材の移動に伴って、前記第１の筐体内に配置された第１の電気回路と前記第２の筐体内に配置された第２の電気回路間の電気的導通の接続及び遮断を行うスイッチ手段をさらに備えたことを特徴とする請求項１乃至５のいずれか一項記載の電子機器。
【請求項７】
前記第１の電気回路は、第１の電池と当該第１の電池を充電するための第１のコネクタを含み、
前記第２の電気回路は、前記第２の電池と当該第２の電池を充電するための前記第１のコネクタと異なる形式の第２のコネクタを含むことを特徴とした請求項６記載の電子機器。
【発明の詳細な説明】
【技術分野】
【０００１】
本発明は、電子機器に関する。
【背景技術】
【０００２】
従来、二つの部分に分割した状態で使用可能な電子機器、例えば、携帯電話が知られている（特許文献１参照）。このような携帯電話は、表示パネル部とキーパネル部とを開閉自在にヒンジ結合した携帯電話であり、前記ヒンジ部近傍で表示パネル部とキーパネル部とを着脱自在に分割した構成となっている。ここで、表示パネル部とキーパネル部とを着脱自在とするために、前記携帯電話は、ヒンジ部近傍の表示パネル部とキーパネル部との分割部の対向する面にそれぞれ磁石を配設している。
【０００３】
また、ヒンジ部近傍の表示パネル部とキーパネル部との分割部の一方に爪を設け他方に前記爪との係合部を設けて前記爪と係合部を着脱自在に係合することも行われている。
【０００４】
【特許文献１】特開２００４−３０４７８４号公報
【発明の開示】
【発明が解決しようとする課題】
【０００５】
しかしながら、前記のような携帯電話は、ヒンジ部近傍の表示パネル部とキーパネル部との分割部の対向する面にそれぞれ磁石が露出している。磁石が外部に露出していると、周辺の砂鉄等が磁石に吸い寄せられるおそれがある。砂鉄等が磁石に付着すれば、表示パネル部とキーパネル部との結合状態が不安定となる。
【０００６】
また、携帯電話の外観意匠に着目した場合に、磁石が外部に露出していると、その部分の色彩は、磁石の色彩となることから、デザイン性に欠けることにもなりかねない。
【０００７】
また、前記のように爪とその係合部を備えた構成とすると、爪や係合部が携帯電話の使用時に邪魔になるおそれもあり、外観意匠に影響を与えることも考えられる。さらに、表示パネル部とキーパネル部とを分割するときの爪の操作は煩雑である。
【０００８】
本発明は、上記問題に鑑みてなされたものである。その目的は、容易に二つの筐体を分離し、結合することができ、当該二つの筐体の安定した結合状態を実現し、かつ、良好な外観意匠を提供することができる電子機器を提供することにある。
【課題を解決するための手段】
【０００９】
上記課題を解決するための本明細書開示の電子機器は、第１の筐体と第２の筐体とが互いに磁力による吸引作用によって結合可能である。前記第１の筐体は、ともに磁力による吸引作用を享受することができる第１の部材及び第２の部材を内部に有する。このように第１の部材及び第２の部材を第１の筐体の内部に配置することにより、これらの部材に砂鉄等が付着することを抑制し、安定した結合状態を維持することができる。また、前記各部材が、外部に露出しておらず、携帯電話の外観意匠に影響を与えることもない。
【００１０】
前記第２の部材は、前記第１の部材よりも前記第１の筐体の中心側に位置するように、前記第１の部材に対して前記第１の筐体を前記第２の筐体から分離する方向にずらして配置される。
【００１１】
そして、前記第２の筐体は、前記第１の部材に磁力による吸引作用によって吸引される第３の部材を内部に有するとともに、前記第２の部材に磁力による吸引作用によって吸引されるとともに、前記第２の筐体内から前記第２の部材に向かって移動可能に設けられた第４の部材を有する。
【００１２】
第３の部材を第２の筐体の内部に配置することにより、第３の部材に砂鉄等が付着することを抑制し、安定した結合状態を維持することができる。また、第４の部材も、第１の筐体と第２の筐体が分離した状態において第２の筐体内に収容可能であり、砂鉄等の付着が抑制される。さらに、このような第４の部材は、二つの筐体の分離操作を容易にするとともに、二つの筐体の安定した結合状態を実現する。第４の部材は、二つの筐体の位置決めとして作用し、これにより、二つの筐体のずれ防止、ガタつき防止が図られる。また、このような第４の部材は、二つの筐体の分離時及び結合時において外部から見え難く、電子機器の外観に与える影響が少ない。
【発明の効果】
【００１３】
本明細書開示の電子機器によれば、容易に二つの筐体を分離し、結合することができる。また、二つの筐体の安定した結合状態を実現し、かつ、良好な外観意匠を得ることができる。
【発明を実施するための最良の形態】
【００１４】
以下、本発明の最良の実施形態について、添付図面を参照しつつ説明する。ただし、図面中、各部の寸法、比率等は、実際のものと完全に一致するようには図示されていない場合がある。また、図面によっては細部が省略されている場合もある。
【実施例１】
【００１５】
図１は、電子機器の一例である本実施例の携帯電話１の外観図である。図１（Ａ）は正面図、図１（Ｂ）は側面図である。図２は、携帯電話１の外観を示す斜視図であり、図２（Ａ）は正面側から観た斜視図、図２（Ｂ）は背面側から観た斜視図である。なお、本明細書において、携帯電話１における上下左右方向は、図１（Ａ）、図２（Ａ）に示す方向とする。
【００１６】
まず、携帯電話１及び携帯電話１に含まれる第１の筐体３０、第２の筐体５０の概略を説明し、さらに、第１の筐体３０と第２の筐体５０との分離動作、結合動作につき、詳細に説明する。
【００１７】
携帯電話１は、第１の筐体３０と第２の筐体５０とを有する。この第１の筐体３０と第２筐体５０とは互いに磁力による吸引作用により結合することができる。図１及び図２は、いずれも第１の筐体３０の底辺部と第２の筐体５０の上縁部とを当接させて第１の筐体３０と第２の筐体５０とを結合した状態を示している。図１（Ｂ）から明らかなように第１の筐体３０と第２筐体５０とは、結合時に屈曲した外観を呈する。
【００１８】
このような携帯電話１は、図３に示すように第１の筐体３０と第２の筐体５０とに分離することができる。分離した第１の筐体３０は携帯電話１の子機側となり、第２の筐体５０は携帯電話１の親機側となる。第１の筐体３０は、後に詳述するようにその右側面に操作部が露出するように配置された電源スイッチ３２を有している。また、第２の筐体５０は、その側面に操作部が露出するように配置されたボリュームキー５７を有している。
【００１９】
図４は、携帯電話１が有する部材の配置を模式的に示した説明図である。また、図５は、図１（Ｂ）におけるＡ−Ａ線断面図であり、図５（Ａ）は、第１の筐体３０と第２の筐体５０とが分離した状態を示しており、図５（Ｂ）は、第１の筐体３０と第２の筐体５０とが結合した状態を示している。
【００２０】
第１の筐体３０は、いずれも強磁性体である第１の部材４０、第２の部材４１を内部に有している。第２の部材４１は、２個設けられており、第１の筐体３０の下端部左右両側にそれぞれ配置されている。このような第２の部材４１は、第１の部材４０よりも第１の筐体３０の中心側に位置するように、第１の筐体４０を第２の筐体５０から分離する方向にずらして配置されている。ここで第１の筐体４０を第２の筐体５０から分離する方向は、図２に示した上下方向とほぼ一致している。
【００２１】
第１の筐体３０は、後述する第４の部材６２が挿入される空間４５を有している。この空間４５は、第１の筐体３０の下端縁において筐体外部に開放されており、この空間４５の奥側に第２の部材４１が配置されている。一方、第１の部材４０は、第１の筐体３０の下端縁に沿って配置されている。このようにして第１の部材４０と第２の部材４１とはずらして配置されている。
【００２２】
第２の筐体５０は、第１の部材４０に磁力による吸引作用によって吸引される第３の部材６１を内部に有する。この第３の部材６１は、磁性体である鉄板である。
第２の筐体５０は、さらに、第２の部材４１に磁力による吸引作用によって吸引されるとともに、第２の筐体５０内から第２の部材４１に向かって移動可能に設けられた第４の部材６２を有している。図６は、第２の筐体５０の一部を破断して内部を示した説明図であり、第４の部材６２が配置された周辺の様子を示している。図６に示された第４の部材６２は、第２の筐体５０の内部に収納された状態となっている。
図７は、結合した状態の第１の筐体３０及び第２の筐体５０の一部を破断してそれぞれの内部を示した説明図であり、第２の部材４１、第４の部材６２が配置された周辺を示している。図７に示された第４の部材６２は、第２の筐体５０の内部から第２の部材４１に向かって移動した状態となっている。
【００２３】
第４の部材６２は、磁性体である鉄製であり、ピン形状を有している。より具体的には、先端側の細径部６２１と基端側の大径部６２２とを備えた形状を有している。第４の部材６２は、第２の筐体５０に設けられた孔５０ａを通じて第２の筐体５０に対し出没することができる。このような第４の部材６２は、第２の部材４１に対応させて２個設けられている。
この第４の部材６２の出没動作につき、図８を参照しつつ説明する。図８（Ａ）は、第４の部材６２が第２の筐体５０の内部に収容された状態を示している。また、図８（Ｂ）は、第４の部材６２が第２の部材４１に向かって移動した状態を示している。図８（Ａ）に示すように第４の部材６２が収容された状態の第２の筐体５０の上端縁に第１の筐体３０の下端縁を近づけると、第４の部材６２は、磁力による第２の部材４１との間の吸引作用を受ける。すると、第４の部材６２は、図８（Ｂ）に示すように第２の筐体５０から引き出されるように移動し、さらに、空間４５内に入り込む。このとき、第４の部材６２は、その大径部６２２が第２の筐体５０の上端壁の内周面５０１に当接する位置まで移動する。
このように、第４の部材６２は、第２の部材４１との間の吸引作用を受けないときは第２の筐体５０内に収容され、第２の部材４１との間の吸引作用により移動し、外部へ引き出され、さらに、空間４５内へ入り込む。
このとき、第１の部材４０と第３の部材６１も磁力によって吸引し合っており、第１の筐体３０と第２の筐体５０とが結合される。
【００２４】
第２の筐体５０は、第４の部材６２を第２の筐体５０の中心側へ移動させる方向に付勢するバネ部材６２ａをさらに有している。バネ部材６２ａは、第２の部材４１との間の磁力による吸引作用を受けていない第４の部材６２を第２の筐体５０内へ復帰させる。これにより第４の部材６２は、第２筐体５０内に再び収納される。なお、バネ部材６２ａは弾性体の一例であり、第４の部材４１を第２の筐体５０の中心側へ移動させる方向に付勢することができる他の部材に置き換えることができる。
【００２５】
前記のように第２の部材４１は、第１の部材４０よりも第１の筐体３０の中心側に位置するように、第１の筐体４０を第２の筐体５０から分離する方向にずらして配置されている。ここで、第１の部材４０と第２の部材４１との配置上のずれ分は、第２の部材４１に吸引される際の第４の部材６２の移動量に関連付けられている。すなわち、図４、図５に示すように第１の部材４０と第２の部材４１との配置上のずれ分Ｓは、第４の部材６２の移動量Ｓに関連付けられている。配置上のずれ分Ｓと第４の部材６２の移動量Ｓは、図８（Ａ）に示すように空間４５の奥行きＳに反映されている。これにより、第４の部材６２は空間４５内に奥深く入り込むことができる。また、第４の部材６２の大径部６２２は、第２の筐体５０の上端壁の内周面５０１に当接し、安定する。この結果、第１の筐体３０と第２の筐体５０との安定した結合状態を得ることができる。すなわち、第１の部材４０と第３の部材６１との吸引作用に加え、第２の部材４１と第４の部材６２との吸引作用により強固な結合状態とすることができる。さらに、ピン形状の第４の部材６２が第１の筐体３０が有する空間４５内へ入り込むことによって、二つの筐体３０、５０のずれ防止、ガタつき防止が図られる。第４の部材６２が二個設けられていることにより二つの筐体３０、５０の相対的な回転も抑制される。
なお、第４の部材６２の大径部６２２が第２の筐体５０の上端壁の内周面５０１に当接した状態のとき、第４の部材６２の先端が第２の部材４１に衝突しないように寸法Ｓの設定が行われている。
【００２６】
以上のように携帯電話１は、第１の筐体３０と第２筐体５０とを、図１、図２に示す結合状態、図３に示す分離状態とすることができる。携帯電話１は、これらの２通りの状態に加えて、図９に示すように第１の筐体３０と第２の筐体５０とを重ねた状態とすることもできる。携帯電話１は、このような第１の筐体３０と第２筐体５０とを重ねた状態とするために、第５の部材４３、第６の部材４４、第７の部材６３、第８の部材６４を備えている。
【００２７】
これらの部材の配置につき、図４を参照しつつ説明する。まず、強磁性体である第５の部材４３は、第１に筐体３０内に設けられている。第５の部材４３は、第１の筐体３０の中心よりも上寄りかつ右寄りにオフセットさせて配置されている。また、強磁性体である第６の部材４４は、２個設けられており、第１の筐体３０の下端部左右両側にそれぞれ配置されている。第６の部材４４は、図８に示すように第２部材４１の裏側に配置される。このように第１の筐体３０は、第１の筐体３０と第２筐体５０とを重ね合わせた状態とするための部材を３点に有している。
【００２８】
一方、ともに磁性体であり、鉄板からなる第７の部材６３、第８の部材６４は、第２の筐体５０内に配置されている。第７の吸引部材６３は、第１の筐体３０と第２筐体５０とを重ね合わせたときに第５の部材４３の位置に対応する位置に配置されている。また、第８の部材６４は、第１の筐体３０と第２筐体５０とを重ね合わせたときに第６の部材４４の位置に対応する位置に配置されている。ここで、第１の筐体３０と第２の筐体５０とを重ね合わせる向きは、電源スイッチ３２の操作部が露出した右側面、ボリュームキー５７が露出した右側面が同じ側に位置するように重ね合わせることを前提とする。
このように第２の筐体５０は、第１の筐体３０と第２筐体５０とを重ね合わせた状態とするための部材を３点に有している。
【００２９】
このように第１の筐体３０、第２の筐体５０が３点に部材を備えていることにより、第１の筐体３０と第２の筐体５０との重ね合わせの向きは一通りに定められる。すなわち、各筐体において上下で非対称に部材を配置することにより第１の筐体３０と第２の筐体５０との重ね合わせの向きは一通りに定められる。仮に定められた向きとは１８０°回転させて第１の筐体３０と第２の筐体５０とを重ね合わせると、部材の位置がずれるため、磁力による吸引作用を享受することができない。この結果、第１の筐体３０と第２の筐体５０とは重ね合わされた状態で固定されない。
仮に、第１の筐体３０と第２の筐体５０とが、所定の向きから１８０°回転した状態で重ね合わさられ、固定されると、以下のような不都合が考えられる。すなわち、第１の筐体３０の右側面に操作部が露出するように設けられた電源スイッチ３２と第２の筐体５０の右側面に操作部が露出するように設けられたボリュームキー５７とが異なる側に位置することとなり、不便である。前記のように定められた向きで重ね合わされたときに吸引作用を受けるようにしておけば、このような不便から開放される。
【００３０】
以上のように本実施例の携帯電話１は、図１、図２に示すような結合状態、図９に示すような重ね合わせ状態とするために多数の部材を備えている。ここで、各部材の組み合わせについて整理する。
【００３１】
第１の部材４０と第３の部材６１の組み合わせが磁力により吸引し合う。第２の部材４１と第四の部材６２の組み合わせが磁力により吸引し合う。第５の部材４３と第７の部材６４の組み合わせが磁力により吸引し合う。第６の部材４４と第８の部材６３の組み合わせが磁力により吸引し合う。
【００３２】
部材は、上記の組み合わせ内で、いずれか一方を強磁性体とし、他方は、この強磁性体との間で磁力により吸引される強磁性体又は磁性体であればよい。すなわち、一方が強磁性体である永久磁石、他方が磁性体である鉄等の組み合わせとすることができる。
【００３３】
携帯電話１は、図１、図２に示すように、第１の筐体３０と第２の筐体５０とを結合し、分離することができる。また、図１０に示すように第１の筐体３０と第２筐体５０とを重ねた状態とすることもできる。携帯電話１は、これら３種の態様のいずれであっても使用することができる。
携帯電話１は、これら３種の態様のいずれであっても使用できるように第１の筐体３０、第２の筐体５０の内部に各種機能部品を搭載している。図１０は、携帯電話１の機能ブロック図である。以下、図１０を参照しつつ、第１の筐体３０、第２筐体５０の内部構成を説明する。
【００３４】
第１の筐体３０は、内部に制御部３１を有している。また、電源スイッチ３２を有している。電源スイッチ３２の操作部は、第１の筐体３０の右側面に露出している。電源スイッチ３２は、制御部３１と電気的に接続されている。第１の筐体３０は、さらに、通話に用いられるレシーバ３３、Ｌｉｑｉｄ Ｃｒｙｓｔａｌ Ｄｉｓｐｌａｙ（ＬＣＤ）を備えた表示部３４、タッチパネル式の入力部３５を有している。入力部３５は、ＬＣＤ上に表示された「ＭＥＮＵ１」や「ＭＥＮＵ２」といった各種ＭＥＮＵキーを操作することにより、携帯電話１の各種機能、子機の各種機能を切り換えることができる。これらは、いずれも制御部３１に電気的に接続されている。第１の筐体３０は、第１のコネクタに相当するＵｎｉｖｅｒｓａｌ Ｓｅｒｉａｌ Ｂｕｓ（ＵＳＢ）コネクタ３６、第１の電池に相当する電池パック３７、スピーカ３８を有している。これらも、制御部３１に電気的に接続されている。ＵＳＢコネクタ３６は充電端子を含んでおり、外部との情報の送受信の他、電池パック３７の充電にも用いられる。第１の筐体３０は、無線送受信部３９を有する。この無線送受信部３９は、親機となる第２の筐体５０が有する無線送受信部５９との間で通信を行う。
このように第１の筐体３０の内部には、第１の電気回路４６が形成されている。
【００３５】
第２の筐体５０は、内部に制御部５１を有している。また、第２の筐体５０は、通話に用いられるレシーバ３３、テンキー式の入力部５３を有している。入力部５３は、静電式タッチセンサーを採用しており、Ｌｉｇｈｔ Ｅｍｉｔｔｉｎｇ Ｄｉｏｄｅ（ＬＥＤ）発光により、キーボタンが表示される。これらは、制御部５１に電気的に接続されている。なお、入力部５３に表示されるキーボタンは、図１（Ａ）にのみに描かれ、他の図面では省略されている。第２の筐体５０は、スピーカ５４、通話に用いられるマイク５５を有している。さらに、ＵＳＢコネクタ５６、ボリュームキー５７、第２の電池に相当する電池パック５８を有している。これらも、制御部５１に電気的に接続されている。ＵＳＢコネクタ５６は、ＵＳＢコネクタ３６と同様に充電端子を含んでおり、電池パック５８の充電に用いられる。ボリュームキー５７の操作部は、第２の筐体５０の右側面に露出している。第２の筐体５０は、無線送受信部６０を有する。この無線送受信部６０は、子機となる第１の筐体３０が有する無線送受信部３９との間で通信を行う。第２の筐体５０は、さらに、移動通信送受信部５９を有している。移動通信送受信部５９は、電話通信や、インターネット通信等、外部との情報の送受信を行うものである。
このように第２の筐体５０の内部には、第２の電気回路６５が形成されている。
【００３６】
以上のような携帯電話１は、第１の筐体３０と第２筐体５０とを結合するための各部材がそれぞれの筐体内に収納されているので砂鉄等の付着を抑制し、磁力による吸引力の低下を抑制することができる。これにより、第１の筐体３０と第２筐体５０との安定した結合状態を得ることができる。
また、第４の部材６２は、第１の筐体３０と第２の筐体５０との位置決めとして作用し、これにより、二つの筐体３０、５０のずれ防止、ガタつき防止が図られる。
さらに、第１の筐体３０と第２の筐体とを分離するときは、第１の筐体３０と第２の筐体５０とを単純に引き離せば良く、ボタンの操作や爪の操作等、特別な操作は不要である。
【００３７】
また、このような第４の部材６２は、二つの筐体３０、５０の分離時及び結合時において外部から見え難く、携帯電話１の外観に与える影響が少ない。このため、携帯電話１は、第１の筐体３０と第２の筐体５０とが結合した状態、分離した状態のいずれにおいて凹凸が少なく良好な外観意匠を得ることができる。
【実施例２】
【００３８】
次に、実施例２につき、図１１及び図１２を参照しつつ説明する。
実施例２が実施例１と異なるのは以下の点である。
まず、実施例２は、第１の筐体３０内に第１接点バネ４２が配置されるとともに、第２の筐体５０内に第２接点バネ６６が配置されている点で、実施例１と異なる。第１の接点バネ４２及び第２の接点バネ６６は、第４の部材６２の移動に伴って、第１の筐体３０内に配置された第１の電気回路４６と、第２の筐体５０内に配置された第２の電気回路６５との間の電気的導通の接続及び遮断を行うスイッチ手段に相当する。
【００３９】
また、実施例２は、実施例１におけるＵＳＢコネクタ５６に代えてインターフェースコネクタ６７を備えている点で、実施例１と異なる。すなわち、第２の電気回路６５は、電池パック５８を充電するための第２のコネクタに相当するインターフェースコネクタ６７を備えている。このインターフェースコネクタ６５は、第１の電気回路４６が有する電池パック３７を充電するためのＵＳＢコネクタ３６とは異なる形式のコネクタである。
【００４０】
以下、これらの実施例１と異なる点につき、説明する。なお、他の構成は、実施例１と異なるところがないため、共通する構成要素については、図面中、同一の参照番号を付し、その詳細な説明は省略する。
【００４１】
まず、第１接点バネ４２、第２接点バネ６６の配置につき、図１２を参照しつつ説明する。図１２は、実施例１における図８に相当する図面であり、図１２（Ａ）は、第４の部材６２が第２の筐体５０の内部に収容された状態を示している。また、図１２（Ｂ）は、第４の部材６２が第２の部材４１に向かって移動した状態を示している。
【００４２】
第１接点バネ４２は、図１２に示すように板状の部材であり、第２の部材４１を覆うように設けられている。第１接点バネ４２は、図１２（Ｂ）に示すように第１の筐体３０と第２筐体５０とが結合した状態のときに、第４の部材６２の先端部と接触する。
このような第１接点バネ４２は、図１１に示すように制御部３１と電気的に接続されている。
【００４３】
第２接点バネ６６は、図１２に示すように屈曲成形された板状の部材であり、第４の部材６２の移動経路上に配置されている。第１接点バネ４２は、図１２（Ｂ）に示すように第１の筐体３０と第２筐体５０とが結合した状態のときに、第４の部材６２の大径部６２２と接触する。
このような第２接点バネ６６は、図１１に示すように制御部５１と電気的に接続されている。
【００４４】
このような構成とすることにより、第４の部材６２の移動に伴って、第１の電気回路４６と第２の電気回路５６との間の電気的導通の接続及び遮断を行うことができる。
【００４５】
従って、第１の筐体３０と第２の筐体５０とを結合させたときに第４の部材６２を通じて第１の電気回路４６と第２の電位回路５６との電気的導通が取られる。このため、ＵＳＢコネクタ３６又はインターフェースコネクタ６５のいずれかを電源に接続すれば、電池パック３７の充電と電池パック５８の充電を同時に行うことができる。
【００４６】
このとき、コネクタの形式を異なったものとしているため、ＵＳＢコネクタ３６に適合するケーブルか、インターフェースコネクタ６５に適合するケーブルのいずれかを準備すればよい。すなわち、充電のために準備するケーブルの選択の幅が広がる。
【００４７】
このような第１接点バネ４２と第２接点バネ６６を有するスイッチ手段は、第１の筐体３０と第２の筐体５０との結合状態を判定するための検出スイッチとしても利用することができる。
【００４８】
以上本発明の好ましい実施例について詳述したが、本発明は係る特定の実施例に限定されるものではなく、特許請求の範囲に記載された本発明の要旨の範囲内において、種々の変形、変更が可能である。
【００４９】
例えば、第１の筐体と第２筐体の結合する際の各筐体の向きを変更することができる。すなわち、携帯電話１が有する第１の筐体３０及び第２の筐体５０はいずれも長辺と短辺を有する長方形を有しており、上記実施例では、短辺同士を当接させて結合している。これに対し、図１３に示す携帯電話１００のように第１の筐体１３０の長辺と第２の筐体１５０の長辺とを当接させて二つの筐体を結合するようにしてもよい。このように本明細書開示の電子機器は、筐体の長辺同士を当接させて結合することもできる。
また、上記実施例では、電子機器の一例として携帯電話の例を挙げているが、電子機器は、例えば、Ｐｅｒｓｏｎａｌ Ｄｉｇｉｔａｌ Ａｓｓｉｓｔａｎｔｓ（ＰＤＡ）、ゲーム機などであってもよい。
【図面の簡単な説明】
【００５０】
【図１】図１は、本実施例の携帯電話の外観図であり、図１（Ａ）は正面図、図１（Ｂ）は側面図である。
【図２】図２は、携帯電話の外観を示す斜視図であり、図２（Ａ）は正面側から観た斜視図、図２（Ｂ）は背面側から観た斜視図である。
【図３】図３は、携帯電話が有する第１の筐体と第２の筐体とを分離した状態を示す説明図である。
【図４】図４は、携帯電話が有する部材の配置を模式的に示した説明図である。
【図５】図５は、図１（Ｂ）におけるＡ−Ａ線断面図であり、図５（Ａ）は、第１の筐体と第２の筐体とが分離した状態を示す図、図５（Ｂ）は、第１の筐体と第２の筐体とが結合した状態を示す図である。
【図６】図６は、第２の筐体の一部を破断して内部を示した説明図である。
【図７】図７は、結合した状態の第１の筐体及び第２の筐体の一部を破断してそれぞれの内部を示した説明図である。
【図８】図８は、第４の部材の出没動作の説明図であり、図８（Ａ）は、第４の部材が第２の筐体の内部に収容された状態を示す図、図８（Ｂ）は、第４の部材が第２の部材に向かって移動した状態を示す図である。
【図９】図９は、第１の筐体と第２の筐体とを重ねた状態の携帯電話の外観図である。
【図１０】図１０は、携帯電話の機能ブロック図である。
【図１１】図１１は、実施例２における携帯電話の機能ブロック図である。
【図１２】図１２は、実施例２における第４の部材の出没動作の説明図である。
【図１３】図１３は、他の実施例の携帯電話の携帯電話の外観図である。
【符号の説明】
【００５１】
１，１００…携帯電話
３０，１３０…第１の筐体
３６，５６…ＵＳＢコネクタ
３８，５８…電池パック
４０…第１の部材
４１…第２の部材
４２…第１接点バネ
４５…空間
４６…第１の電気回路
５０…第２の筐体
６１…第３の部材
６２…第４の部材
６５…第２の電気回路
６６…第２接点バネ
６７…インターフェースコネクタ
【図１】
2010074463.tif 000003
【図２】
2010074463.tif 000004
【図３】
2010074463.tif 000005
【図４】
2010074463.tif 000006
【図５】
2010074463.tif 000007
【図６】
2010074463.tif 000008
【図７】
2010074463.tif 000009
【図８】
2010074463.tif 000010
【図９】
2010074463.tif 000011
【図１０】
2010074463.tif 000012
【図１１】
2010074463.tif 000013
【図１２】
2010074463.tif 000014
【図１３】
2010074463.tif 000015